(57)【要約】【課題】従来、一の車両に対応する他車両の位置を適切に取得できなかった。【解決手段】車車間通信装置において利用される無線通信装置であって、一の車両の位置を示す位置情報と進行方向を示す進行方向情報とを含む第一車両配置情報を取得する第一車両配置情報取得部と、一の車両とは異なる他車両に設置された他の無線通信装置から、他車両の位置を示す位置情報と進行方向を示す進行方向情報とを含む第二車両配置情報を受信する第二車両配置情報受信部と、第一車両配置情報と第二車両配置情報とを用いて、他車両の一の車両に対する相対的な位置関係を含む情報である車両配置関係情報を取得する車両配置関係情報取得部と、車両配置関係情報を出力する車両配置関係情報出力部とを具備する無線通信装置により、一の車両に対応する他車両の位置を、適切に取得できる。【選択図】図１
2010108457.tif 000002
【特許請求の範囲】
【請求項１】
車車間通信装置において利用される無線通信装置であって、
一の車両の位置を示す位置情報と進行方向を示す進行方向情報とを含む第一車両配置情報を取得する第一車両配置情報取得部と、
前記一の車両とは異なる他車両に設置された他の無線通信装置から、前記他車両の位置を示す位置情報と進行方向を示す進行方向情報とを含む第二車両配置情報を受信する第二車両配置情報受信部と、
前記第一車両配置情報と前記第二車両配置情報とを用いて、前記他車両の前記一の車両に対する相対的な位置関係を含む情報である車両配置関係情報を取得する車両配置関係情報取得部と、
前記車両配置関係情報を出力する車両配置関係情報出力部とを具備する無線通信装置。
【請求項２】
前記車両配置関係情報取得部は、
前記第一車両配置情報が有する一の車両の位置情報が示す位置を原点とし、全方位を、予め決められた角度を有する２以上のエリアに分割し、前記第一車両配置情報が有する位置情報と前記第二車両配置情報が有する位置情報に基づいて、他車両が存在するエリアである存在エリアを特定し、当該存在エリアを識別するエリア識別子を有する車両配置関係情報を取得する他車両存在エリア特定手段を具備する請求項１記載の無線通信装置。
【請求項３】
前記車両配置関係情報取得部は、
前記第一車両配置情報が有する進行方向情報、前記第二車両配置情報が有する進行方向情報、および前記エリア識別子を用いて、前記一の車両と前記他車両との車両配置関係を示す車両配置関係情報を取得する他車両存在方向特定手段をさらに具備する請求項２記載の無線通信装置。
【請求項４】
前記他車両存在方向特定手段は、
前記第一車両配置情報が有する進行方向情報、前記第二車両配置情報が有する進行方向情報から、両車両の進行方向が同一方向であるか否かを判断し、
前記両車両の進行方向が同一方向であり、かつ、前記他車両の存在エリアが、一の車両の進行方向に一致するエリアまたは、当該エリアに対して所定の角度の範囲にある１以上のエリアである周辺規定エリア群である前方エリアである場合に、当該他車両が前記一の車両に対して前方の先行する車両である前方車両であることを示す車両配置関係情報を取得し、
前記両車両の進行方向が同一方向であり、かつ、前記他車両の存在エリアが、前記前方エリアに対して１８０度分ずらしたエリア群である後方エリアである場合に、当該他車両が前記一の車両に対して後方の後続する車両である後方車両であることを示す車両配置関係情報を取得し、
前記両車両の進行方向が同一方向であり、かつ、前記他車両の存在エリアが、前記前方エリアでも無く、前記後方エリアでも無く、前記第一車両配置情報が有する位置情報が示す位置に対して右方向のエリアである右方向エリアである場合に、当該他車両が前記一の車両に対して右側を並走する車両である右側並走車両であることを示す車両配置関係情報を取得し、
前記両車両の進行方向が同一方向であり、かつ、前記他車両の存在エリアが、前記前方エリアでも無く、前記後方エリアでも無く、前記第一車両配置情報が有する位置情報が示す位置に対して左方向のエリアである左方向エリアである場合に、当該他車両が前記一の車両に対して左側を並走する車両である左側並走車両であることを示す車両配置関係情報を取得する請求項３記載の無線通信装置。
【請求項５】
前記他車両存在方向特定手段は、
前記第一車両配置情報が有する進行方向情報、前記第二車両配置情報が有する進行方向情報から、両車両の進行方向が同一方向であるか、逆方向であるか、いずれでもないかを判断し、
前記両車両の進行方向が逆方向であり、かつ、前記他車両の存在エリアが、一の車両の進行方向に一致するエリアまたは、当該エリアに対して所定の角度の範囲にある１以上のエリアである周辺規定エリア群である前方エリアである場合に、当該他車両が前記一の車両に対して接近している対向車両である接近対向車両であることを示す車両配置関係情報を取得し、
前記両車両の進行方向が逆方向であり、かつ、前記他車両の存在エリアが、前記前方エリアに対して１８０度分ずらしたエリア群である後方エリアである場合に、当該他車両が前記一の車両に対して通過した対向車両である通過対向車両であることを示す車両配置関係情報を取得し、
前記両車両の進行方向が逆方向であり、かつ、前記他車両の存在エリアが、前記前方エリアでも無く、前記後方エリアでも無い場合に、当該他車両が前記一の車両に対して隣接対応車両であることを示す車両配置関係情報を取得する請求項４記載の無線通信装置。
【請求項６】
前記他車両存在方向特定手段は、
前記第一車両配置情報が有する進行方向情報、前記第二車両配置情報が有する進行方向情報から、両車両の進行方向が同一方向であるか否かを判断し、
前記両車両の進行方向が同一方向であり、かつ、前記他車両の存在エリアが、前記第一車両配置情報が有する位置情報が示す位置の右斜め前方のエリアである右斜め前方エリアである場合に、当該他車両が前記一の車両に対して右斜め前方の先行する車両である右斜め前方車両であることを示す車両配置関係情報を取得し、
前記両車両の進行方向が同一方向であり、かつ、前記他車両の存在エリアが、前記第一車両配置情報が有する位置情報が示す位置の右斜め後方のエリアである右斜め後方エリアである場合に、当該他車両が前記一の車両に対して右斜め後方の後続する車両である右斜め後方車両であることを示す車両配置関係情報を取得し、
前記両車両の進行方向が同一方向であり、かつ、前記他車両の存在エリアが、前記第一車両配置情報が有する位置情報が示す位置の左斜め前方のエリアである左斜め前方エリアであるに、当該他車両が前記一の車両に対して左斜め前方の先行する車両である左斜め前方車両であることを示す車両配置関係情報を取得し、
前記両車両の進行方向が同一方向であり、かつ、前記他車両の存在エリアが、前記第一車両配置情報が有する位置情報が示す位置の左斜め後方のエリアである左斜め後方エリアである場合に、当該他車両が前記一の車両に対して左斜め後方の後続する車両である左斜め後方車両であることを示す車両配置関係情報を取得する請求項４または請求項５記載の無線通信装置。
【請求項７】
前記車両配置関係情報出力部が出力した前記車両配置関係情報を受け付け、当該車両配置関係情報を用いて、マルチキャリアおよびマルチコードからなるチャネルにより、前記第一車両配置情報を送信する第一車両配置情報送信部をさらに具備する請求項１から請求項６いずれか記載の無線通信装置。
【請求項８】
第一車両配置情報取得部、第二車両配置情報受信部、および車両配置関係情報取得部により実現される車両配置関係情報の取得方法であって、
前記第一車両配置情報取得部により、一の車両の位置を示す位置情報と進行方向を示す進行方向情報とを含む第一車両配置情報を取得する第一車両配置情報取得ステップと、
前記第二車両配置情報受信部により、前記一の車両とは異なる他車両に設置された他の無線通信装置から、前記他車両の位置を示す位置情報と進行方向を示す進行方向情報とを含む第二車両配置情報を受信する第二車両配置情報受信ステップと、
前記車両配置関係情報取得部により、前記第一車両配置情報と前記第二車両配置情報とを用いて、前記他車両の前記一の車両に対する相対的な位置関係を含む情報である車両配置関係情報を取得する車両配置関係情報取得ステップとを具備する車両配置関係情報の取得方法。
【請求項９】
前記車両配置関係情報取得ステップにおいて、
前記第一車両配置情報が有する一の車両の位置情報が示す位置を原点とし、全方位を、予め決められた角度を有する２以上のエリアに分割し、前記第一車両配置情報が有する位置情報と前記第二車両配置情報が有する位置情報に基づいて、他車両が存在するエリアである存在エリアを特定し、当該存在エリアを識別するエリア識別子を有する車両配置関係情報を取得する他車両存在エリア特定サブステップを具備する請求項８記載の車両配置関係情報の取得方法。
【請求項１０】
前記車両配置関係情報取得ステップにおいて、
前記第一車両配置情報が有する進行方向情報、前記第二車両配置情報が有する進行方向情報、および前記エリア識別子を用いて、前記一の車両と前記他車両との車両配置関係を示す車両配置関係情報を取得する他車両存在方向特定サブステップをさらに具備する請求項９記載の車両配置関係情報の取得方法。
【発明の詳細な説明】
【技術分野】
【０００１】
本発明は、主として、自車両に対する他車両の相対的な位置情報を含む配置関係情報を取得する無線通信装置等に関するものである。
【背景技術】
【０００２】
国土交通省が推進しているＡＳＶ（先進安全自動車）では、車車間通信を予防安全向上に資する運転支援システムの実用化に取り組まれている。
【０００３】
ＡＳＶで行われている検討では、事故数の多い事故４類型に、社会的要求として低減が期待される事故３類型を加えて合計７つの事故類型をピックアップしている。７つの事故類型とは、右折事故、出会い頭事故、歩行者事故、正面衝突事故、追突事故、左折事故、車線変更に伴う衝突事故である。ＡＳＶでは、かかる７つの事故類型で分類される事故の回避を中心として、安全な交通社会の実現を目指す取り組みが行われている。
【０００４】
また、従来、マルチキャリアおよびマルチコードからなるチャネルを用いて、無線通信を行う無線通信装置があった（例えば、非特許文献１参照）。本無線通信装置は、レスポンス性劣化要因を大幅に削減するＭＭ−ＳＡ（Ｍｕｌｔｉ−Ｃａｒｒｉｅｒ＆Ｍｕｌｔｉ−Ｃｏｄｅ  Ｓｐｒｅａｄ  ＡＬＯＨＡ）方式を採用する。ＭＭ−ＳＡ方式は、４個の周波数チャネルおよび１５個の拡散コードによって掲載されるチャネルから、チャネル制御によって、干渉量の少ないチャネルを確立し、その確定したチャネルを用いて情報を送受信する方式である。
【非特許文献１】酒井敏宏、大山卓、鈴木龍太郎、門脇直人、小花貞夫、"高レスポンスアドホック無線通信方式：MM-SA方式の試作と性能評価"、信学技報, vol. 107, no. 113, RCS2007-13, pp. 13-18, 2007年6月
【発明の開示】
【発明が解決しようとする課題】
【０００５】
しかしながら、従来の無線通信装置においては、一の車両に対応する他車両の位置を、適切に取得できなかった。
【０００６】
特に、従来の無線通信装置においては、周辺車両から集められた情報である周辺車両情報を用いて、自律的に車両の方向位置を特定することがきでなかった。そのため、例えば、左折時に、横方向から接近してくる二輪車を巻き込むことを防止する支援を適切にできなかった。また、例えば、複数車線道路で、車線変更する際には、両側の車線で走行している後続車両にも注意を促すことが、適切にできなかった。
【課題を解決するための手段】
【０００７】
本第一の発明の無線通信装置は、車車間通信装置において利用される無線通信装置であって、一の車両の位置を示す位置情報と進行方向を示す進行方向情報とを含む第一車両配置情報を取得する第一車両配置情報取得部と、前記一の車両とは異なる他車両に設置された他の無線通信装置から、前記他車両の位置を示す位置情報と進行方向を示す進行方向情報とを含む第二車両配置情報を受信する第二車両配置情報受信部と、前記第一車両配置情報と前記第二車両配置情報とを用いて、前記他車両の前記一の車両に対する相対的な位置関係を含む情報である車両配置関係情報を取得する車両配置関係情報取得部と、前記車両配置関係情報を出力する車両配置関係情報出力部とを具備する無線通信装置である。
【０００８】
かかる構成により、一の車両に対応する他車両の相対的な位置の情報を、適切に取得できる。
【０００９】
また、本第二の発明の無線通信装置は、第一の発明に対して、前記車両配置関係情報取得部は、前記第一車両配置情報が有する一の車両の位置情報が示す位置を原点とし、全方位を、予め決められた角度を有する２以上のエリアに分割し、前記第一車両配置情報が有する位置情報と前記第二車両配置情報が有する位置情報に基づいて、他車両が存在するエリアである存在エリアを特定し、当該存在エリアを識別するエリア識別子を有する車両配置関係情報を取得する他車両存在エリア特定手段を具備する無線通信装置である。
【００１０】
かかる構成により、一の車両に対応する他車両の存在エリアを、適切に取得できる。
【００１１】
また、本第三の発明の無線通信装置は、第二の発明に対して、前記車両配置関係情報取得部は、前記第一車両配置情報が有する進行方向情報、前記第二車両配置情報が有する進行方向情報、および前記エリア識別子を用いて、前記一の車両と前記他車両との車両配置関係を示す車両配置関係情報を取得する他車両存在方向特定手段をさらに具備する無線通信装置である。
【００１２】
かかる構成により、一の車両に対応する他車両の存在エリア、および他車両の方向を、適切に取得できる。
【００１３】
また、本第四の発明の無線通信装置は、第三の発明に対して、前記他車両存在方向特定手段は、前記第一車両配置情報が有する進行方向情報、前記第二車両配置情報が有する進行方向情報から、両車両の進行方向が同一方向であるか否かを判断し、前記両車両の進行方向が同一方向であり、かつ、前記他車両の存在エリアが、一の車両の進行方向に一致するエリアまたは、当該エリアに対して所定の角度の範囲にある１以上のエリアである周辺規定エリア群である前方エリアである場合に、当該他車両が前記一の車両に対して前方の先行する車両である前方車両であることを示す車両配置関係情報を取得し、前記両車両の進行方向が同一方向であり、かつ、前記他車両の存在エリアが、前記前方エリアに対して１８０度分ずらしたエリア群である後方エリアである場合に、当該他車両が前記一の車両に対して後方の後続する車両である後方車両であることを示す車両配置関係情報を取得し、前記両車両の進行方向が同一方向であり、かつ、前記他車両の存在エリアが、前記前方エリアでも無く、前記後方エリアでも無く、前記第一車両配置情報が有する位置情報が示す位置に対して右方向のエリアである右方向エリアである場合に、当該他車両が前記一の車両に対して右側を並走する車両である右側並走車両であることを示す車両配置関係情報を取得し、前記両車両の進行方向が同一方向であり、かつ、前記他車両の存在エリアが、前記前方エリアでも無く、前記後方エリアでも無く、前記第一車両配置情報が有する位置情報が示す位置に対して左方向のエリアである左方向エリアである場合に、当該他車両が前記一の車両に対して左側を並走する車両である左側並走車両であることを示す車両配置関係情報を取得する無線通信装置である。
【００１４】
かかる構成により、他車両の存在エリア、および他車両の進行方向を用いて、一の車両に対応する他車両の配置関係を、適切に取得できる。
【００１５】
また、本第五の発明の無線通信装置は、第四の発明に対して、前記他車両存在方向特定手段は、前記第一車両配置情報が有する進行方向情報、前記第二車両配置情報が有する進行方向情報から、両車両の進行方向が同一方向であるか、逆方向であるか、いずれでもないかを判断し、前記両車両の進行方向が逆方向であり、かつ、前記他車両の存在エリアが、一の車両の進行方向に一致するエリアまたは、当該エリアに対して所定の角度の範囲にある１以上のエリアである周辺規定エリア群である前方エリアである場合に、当該他車両が前記一の車両に対して接近している対向車両である接近対向車両であることを示す車両配置関係情報を取得し、前記両車両の進行方向が逆方向であり、かつ、前記他車両の存在エリアが、前記前方エリアに対して１８０度分ずらしたエリア群である後方エリアである場合に、当該他車両が前記一の車両に対して通過した対向車両である通過対向車両であることを示す車両配置関係情報を取得し、前記両車両の進行方向が逆方向であり、かつ、前記他車両の存在エリアが、前記前方エリアでも無く、前記後方エリアでも無い場合に、当該他車両が前記一の車両に対して隣接対応車両であることを示す車両配置関係情報を取得する無線通信装置である。
【００１６】
かかる構成により、他車両の存在エリア、および他車両の進行方向を用いて、一の車両に対応する他車両の配置関係を、適切に取得できる。
【００１７】
また、本第六の発明の無線通信装置は、第四、第五いずれかの発明に対して、前記他車両存在方向特定手段は、前記第一車両配置情報が有する進行方向情報、前記第二車両配置情報が有する進行方向情報から、両車両の進行方向が同一方向であるか否かを判断し、前記両車両の進行方向が同一方向であり、かつ、前記他車両の存在エリアが、前記第一車両配置情報が有する位置情報が示す位置の右斜め前方のエリアである右斜め前方エリアである場合に、当該他車両が前記一の車両に対して右斜め前方の先行する車両である右斜め前方車両であることを示す車両配置関係情報を取得し、前記両車両の進行方向が同一方向であり、かつ、前記他車両の存在エリアが、前記第一車両配置情報が有する位置情報が示す位置の右斜め後方のエリアである右斜め後方エリアである場合に、当該他車両が前記一の車両に対して右斜め後方の後続する車両である右斜め後方車両であることを示す車両配置関係情報を取得し、前記両車両の進行方向が同一方向であり、かつ、前記他車両の存在エリアが、前記第一車両配置情報が有する位置情報が示す位置の左斜め前方のエリアである左斜め前方エリアであるに、当該他車両が前記一の車両に対して左斜め前方の先行する車両である左斜め前方車両であることを示す車両配置関係情報を取得し、前記両車両の進行方向が同一方向であり、かつ、前記他車両の存在エリアが、前記第一車両配置情報が有する位置情報が示す位置の左斜め後方のエリアである左斜め後方エリアである場合に、当該他車両が前記一の車両に対して左斜め後方の後続する車両である左斜め後方車両であることを示す車両配置関係情報を取得する無線通信装置である。
【００１８】
かかる構成により、他車両の存在エリア、および他車両の進行方向を用いて、一の車両に対応する他車両の配置関係を、より適切に取得できる。
【００１９】
また、本第七の発明の無線通信装置は、第一から第六いずれかの発明に対して、前記車両配置関係情報出力部が出力した前記車両配置関係情報を受け付け、当該車両配置関係情報を用いて、マルチキャリアおよびマルチコードからなるチャネルにより、前記第一車両配置情報を送信する第一車両配置情報送信部をさらに具備する無線通信装置である。
【００２０】
かかる構成により、マルチキャリアおよびマルチコードからなるチャネルを用いて、一の車両の車両配置情報を、他の車両に送信できる。
【発明の効果】
【００２１】
本発明による無線通信装置によれば、一の車両に対応する他車両の位置を、適切に取得できる。
【発明を実施するための最良の形態】
【００２２】
以下、無線通信装置等の実施形態について図面を参照して説明する。なお、実施の形態において同じ符号を付した構成要素は同様の動作を行うので、再度の説明を省略する場合がある。
【００２３】
（実施の形態１）
【００２４】
本実施の形態において、車車間通信において、他車両の相対的な位置情報を含む車両配置関係情報を取得し、当該車両配置関係情報を利用する無線通信装置等について説明する。本無線通信装置において、一の車両に対応する他車両の存在エリアを適切に特定したり、一の車両に対応する他車両の配置関係（先行車、後続車、対向車、並走車など）を特定したりできる。なお、車両とは、自動車、飛行機、電車、バス、自転車、二輪車などの移動体である。また、本実施の形態において、無線通信装置は、移動体（車両、人、生物など）が保持している（設置されている）状態であれば良い。
【００２５】
図１は、本実施の形態における無線ネットワークの概略図である。無線ネットワークは、無線通信装置１〜１０を備える。無線通信装置１〜１０は、それぞれ、車両１〜車両１０に搭載されている。
【００２６】
図２は、本実施の形態における無線通信装置１のブロック図である。無線通信装置１は、第一車両配置情報取得部１１、第二車両配置情報受信部１２、車両配置関係情報取得部１３、車両配置関係情報出力部１４、第一車両配置情報送信部１５を具備する。
【００２７】
車両配置関係情報取得部１３は、周辺車両情報格納手段１３０、他車両存在エリア特定手段１３１、他車両存在方向特定手段１３２を具備する。
【００２８】
第一車両配置情報送信部１５は、チャネル割当手段１５１、送信手段１５２を具備する。
【００２９】
第一車両配置情報取得部１１は、第一車両配置情報を取得する。第一車両配置情報とは、一の車両の車両配置情報である。車両配置情報は、車両の走行に関する情報である。車両配置情報は、車両の位置を示す位置情報と進行方向を示す進行方向情報とを含む。つまり、第一車両配置情報は、一の車両の位置情報と、一の車両の進行方向情報とを含む。また、第一車両配置情報は、通常、一の車両を識別する情報である車両ＩＤを含む。第一車両配置情報取得部１１は、例えば、ＧＰＳ（Ｇｌｏｂａｌ  Ｐｏｓｉｔｉｏｎｉｎｇ  Ｓｙｓｔｅｍ）受信装置で実現され得る。また、第一車両配置情報取得部１１は、例えば、ビーコンや、その他の手段を用いて、第一車両配置情報を取得しても良い。また、ここでの取得とは、他の図示しない装置（例えば、種々の車両の車両配置情報を収集するサーバ装置など）からの受信でも良い。
【００３０】
第二車両配置情報受信部１２は、一の車両とは異なる他車両に設置された他の無線通信装置（適宜、「他車両」とも言う。）から、他車両の位置を示す位置情報と進行方向を示す進行方向情報とを含む第二車両配置情報を受信する。なお、第二車両配置情報は、通常、他車両を識別する情報である車両ＩＤを含む。第二車両配置情報受信部１２は、通常、定期的に第二車両配置情報を受信する。ただし、定期的とは、正確に、同時間間隔でなければならない趣旨ではない。また、第二車両配置情報受信部１２が第二車両配置情報を受信するタイミングは、定期的で無くても良い。他の無線通信装置からの受信は、直接的な受信でも、他の装置を経由した間接的な受信でも良い。また、第二車両配置情報受信部１２は、通常、パケット化され、変調された第二車両配置情報を受信する。また、第二車両配置情報は、通常、受信後に復調される。また、第二車両配置情報受信部１２は、通常、すべての周波数チャネルの情報（パケット）を受信する。第二車両配置情報受信部１２は、通常、無線通信手段で実現されるが、放送を受信する手段で実現されても良い。第二車両配置情報受信部１２は、例えば、ＭＭ−ＳＡ方式により、第二車両配置情報を受信する。
【００３１】
車両配置関係情報取得部１３は、第一車両配置情報と第二車両配置情報とを用いて、車両配置関係情報を取得する。また、車両配置関係情報取得部１３は、第一車両配置情報と第二車両配置情報とを、通常、周辺車両情報格納手段１３０に、少なくとも一時蓄積する。車両配置関係情報は、他車両の一の車両に対する相対的な位置関係を含む情報である。また、車両配置関係情報は、他車両の一の車両に対する相対的な走行に関する情報である。車両配置関係情報とは、例えば、一の車両に対して、他車両が先行車であることを示す情報（例えば、「ａ」）、他車両が後続車であることを示す情報（例えば、「ｂ」）、他車両が対向車であることを示す情報（例えば、「ｃ」）、他車両が並走車であることを示す情報（例えば、「ｄ」）などである。また、車両配置関係情報は、例えば、一の車両に対して、右側を並走する車両である右側並走車両であることを示す情報、一の車両に対して左側を並走する車両である左側並走車両であることを示す情報、一の車両に対して接近している対向車両である接近対向車両であることを示す情報、または、一の車両に対して通過した対向車両である通過対向車両であることを示す情報などでも良い。また、車両配置関係情報とは、例えば、一の車両に対する他車両の存在エリアを識別するエリア識別子を有する。存在エリアを識別するエリア識別子は、例えば、他車両が一の車両に対して前方に存在することを示す前方識別子（例えば、「１」）、他車両が一の車両に対して後方に存在することを示す後方識別子（例えば、「２」）、他車両が一の車両に対して右方向に存在することを示す右方向識別子（例えば、「３」）、他車両が一の車両に対して左方向に存在することを示す左方向識別子（例えば、「４」）である。また、存在エリアを識別するエリア識別子は、以下の８つ、存在することは好適である。８つのエリア識別子は、他車両が一の車両に対して前方に存在することを示す前方識別子（例えば、「１」）、他車両が一の車両に対して後方に存在することを示す後方識別子（例えば、「２」）、他車両が一の車両に対して右方向に存在することを示す右方向識別子（例えば、「３」）、他車両が一の車両に対して右斜め前方に存在することを示す右斜め前方識別子（例えば、「４」）、他車両が一の車両に対して右斜め後方に存在することを示す右斜め後方識別子（例えば、「５」）、他車両が一の車両に対して左方向に存在することを示す左方向識別子（例えば、「６」）他車両が一の車両に対して左斜め前方に存在することを示す左斜め前方識別子（例えば、「７」）、他車両が一の車両に対して左斜め後方に存在することを示す左斜め後方識別子（例えば、「８」）である。
【００３２】
車両配置関係情報取得部１３は、通常、ＭＰＵやメモリ等から実現され得る。車両配置関係情報取得部１３の処理手順は、通常、ソフトウェアで実現され、当該ソフトウェアはＲＯＭ等の記録媒体に記録されている。但し、ハードウェア（専用回路）で実現しても良い。
【００３３】
周辺車両情報格納手段１３０は、一の車両に関する情報である自車両情報、および他車両（１以上、存在しても良い）に関する情報である他車両情報（適宜、「周辺車両情報」とも言う。）を格納し得る。自車両情報は、第一車両配置情報取得部１１が取得した第一車両配置情報を含む。また、他車両情報は、第二車両配置情報受信部１２が受信した第二車両配置情報を含む。周辺車両情報格納手段１３０は、不揮発性の記録媒体が好適であるが、揮発性の記録媒体でも実現可能である。
【００３４】
他車両存在エリア特定手段１３１は、第一車両配置情報が有する一の車両の位置情報が示す位置を原点とし、全方位を、予め決められた角度を有する２以上のエリアに分割し、第一車両配置情報が有する位置情報と第二車両配置情報が有する位置情報に基づいて、他車両が存在するエリアである存在エリアを特定し、当該存在エリアを識別するエリア識別子を有する車両配置関係情報を取得する。なお、他車両存在エリア特定手段１３１が分割するエリアは、４であることが好適である。また、他車両存在エリア特定手段１３１が分割するエリアは、８であることがさらに好適である。また、エリアは、一の車両の位置情報が示す位置（原点）を中心とした、扇形に外に広がる領域である。また、分割するエリアが２の場合は、通常、「前方」「後方」のエリアである。分割するエリアが４の場合は、通常、「前方」「後方」「右方向」「左方向」である。分割するエリアが８の場合は、通常、「前方」「後方」「右方向」「右斜め前方」「右斜め後方」「左方向」「左斜め前方」「左斜め後方」である。他車両存在エリア特定手段１３１は、通常、ＭＰＵやメモリ等から実現され得る。他車両存在エリア特定手段１３１の処理手順は、通常、ソフトウェアで実現され、当該ソフトウェアはＲＯＭ等の記録媒体に記録されている。但し、ハードウェア（専用回路）で実現しても良い。
【００３５】
他車両存在方向特定手段１３２は、第一車両配置情報が有する進行方向情報、第二車両配置情報が有する進行方向情報、および他車両存在エリア特定手段１３１が取得したエリア識別子を用いて、一の車両と他車両との車両配置関係を示す車両配置関係情報を取得する。車両配置関係情報とは、例えば、他車両が先行車（例えば、「１」）であることを示す情報、他車両が後続車（例えば、「２」）であることを示す情報、他車両が対向車（例えば、「３」）であることを示す情報、他車両が並走車（例えば、「４」）であることを示す情報などを示す情報である。
【００３６】
また、他車両存在方向特定手段１３２は、第一車両配置情報が有する進行方向情報、第二車両配置情報が有する進行方向情報から、両車両の進行方向が同一方向であるか否かを判断する。また、他車両存在方向特定手段１３２は、第一車両配置情報が有する進行方向情報、第二車両配置情報が有する進行方向情報から、両車両の進行方向が同一方向であるか、逆方向であるか、いずれでもないかを判断することは、さらに好適である。なお、同一方向とは、例えば、一の車両の進行方向情報が示すベクトルの向きに対して、他車両の進行方向情報が示すベクトルの向きが「＋−１５度」の範囲であることを言う。また、逆方向とは、例えば、一の車両の進行方向情報が示すベクトルと１８０度異なるベクトルの向きに対して、他車両の進行方向情報が示すベクトルの向きが「＋−１５度」の範囲であることを言う。
【００３７】
そして、他車両存在方向特定手段１３２は、同一方向であり、かつ、他車両存在エリア特定手段１３１、または自身（他車両存在方向特定手段１３２）によって特定された存在エリアが前方エリアである場合に、当該他車両が一の車両に対して前方の先行する車両であることを示す前方車両であることを示す車両配置関係情報を取得する。前方エリアとは、例えば、一の車両の進行方向に一致するエリアまたは、当該エリアに対して所定の角度の範囲にある１以上のエリアである周辺規定エリア群である。また、他車両存在方向特定手段１３２は、同一方向であり、かつ、他車両存在エリア特定手段１３１、または自身（他車両存在方向特定手段１３２）によって特定された存在エリアが後方エリアである場合に、当該他車両が前記一の車両に対して後方の後続する車両であることを示す後方車両であることを示す車両配置関係情報を取得する。なお、後方エリアとは、例えば、前方エリアに対して１８０度分ずらしたエリア群である。また、他車両存在方向特定手段１３２は、同一方向であり、かつ、他車両存在エリア特定手段１３１、または自身（他車両存在方向特定手段１３２）によって特定された存在エリアが、前方エリアでも無く、後方エリアでも無く、右方向エリアである場合に、当該他車両が一の車両に対して右側を並走する車両であることを示す右側並走車両であることを示す車両配置関係情報を取得する。右方向エリアは、他車両の位置が第一車両配置情報の有する位置情報が示す位置に対して右方向のエリアである。また、他車両存在方向特定手段１３２は、同一方向であり、かつ、他車両存在エリア特定手段１３１によって特定された存在エリアが左方向エリアである場合に、当該他車両が前記一の車両に対して左側を並走する車両であることを示す左側並走車両であることを示す車両配置関係情報を取得する。左方向エリアとは、前方エリアでも無く、前記後方エリアでも無く、第一車両配置情報が有する位置情報が示す位置に対して左方向のエリアである。
【００３８】
また、他車両存在方向特定手段１３２は、逆方向であり、かつ、他車両存在エリア特定手段１３１、または自身（他車両存在方向特定手段１３２）によって特定された存在エリアが、一の車両の進行方向に一致するエリアまたは、当該エリアに対して所定の角度の範囲にある１以上のエリアである周辺規定エリア群である前方エリアである場合に、当該他車両が前記一の車両に対して接近している対向車両である接近対向車両であることを示す車両配置関係情報を取得する。また、他車両存在方向特定手段１３２は、逆方向であり、かつ、他車両存在エリア特定手段１３１、または自身（他車両存在方向特定手段１３２）によって特定された存在エリアが、前方エリアに対して１８０度分ずらしたエリア群である後方エリアである場合に、当該他車両が前記一の車両に対して通過した対向車両である通過対向車両であることを示す車両配置関係情報を取得する。また、他車両存在方向特定手段１３２は、逆方向であり、かつ、他車両存在エリア特定手段１３１、または自身（他車両存在方向特定手段１３２）によって特定された存在エリアが、前方エリアでも無く、後方エリアでも無い場合に、当該他車両が一の車両に対して隣接対応車両であることを示す車両配置関係情報を取得する。
【００３９】
また、他車両存在方向特定手段１３２は、同一方向であり、かつ、他車両存在エリア特定手段１３１、または自身（他車両存在方向特定手段１３２）によって特定された存在エリアが、第一車両配置情報が有する位置情報が示す位置の右斜め前方のエリアである右斜め前方エリアである場合に、当該他車両が前記一の車両に対して右斜め前方の先行する車両である右斜め前方車両であることを示す車両配置関係情報を取得する。また、他車両存在方向特定手段１３２は、同一方向であり、かつ、他車両存在エリア特定手段１３１、または自身（他車両存在方向特定手段１３２）によって特定された存在エリアが、第一車両配置情報が有する位置情報が示す位置の右斜め後方のエリアである右斜め後方エリアである場合に、当該他車両が前記一の車両に対して右斜め後方の後続する車両である右斜め後方車両であることを示す車両配置関係情報を取得する。また、他車両存在方向特定手段１３２は、同一方向であり、かつ、他車両存在エリア特定手段１３１、または自身（他車両存在方向特定手段１３２）によって特定された存在エリアが、第一車両配置情報が有する位置情報が示す位置の左斜め前方のエリアである左斜め前方エリアであるに、当該他車両が前記一の車両に対して左斜め前方の先行する車両である左斜め前方車両であることを示す車両配置関係情報を取得する。また、他車両存在方向特定手段１３２は、同一方向であり、かつ、他車両存在エリア特定手段１３１、または自身（他車両存在方向特定手段１３２）によって特定された存在エリアが、第一車両配置情報が有する位置情報が示す位置の左斜め後方のエリアである左斜め後方エリアである場合に、当該他車両が前記一の車両に対して左斜め後方の後続する車両である左斜め後方車両であることを示す車両配置関係情報を取得する。
【００４０】
他車両存在方向特定手段１３２は、通常、ＭＰＵやメモリ等から実現され得る。他車両存在方向特定手段１３２の処理手順は、通常、ソフトウェアで実現され、当該ソフトウェアはＲＯＭ等の記録媒体に記録されている。但し、ハードウェア（専用回路）で実現しても良い。
【００４１】
車両配置関係情報出力部１４は、車両配置関係情報を出力する。ここで、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。さらに具体的には、出力とは、一の車両のディスプレイへの表示（例えば、先行車、後続車、対向車、並走車などの図的な表示）、後続車、対向車、並走車等の存在について、注意喚起するための音出力なども含む概念である。また、出力とは、車両の制御プログラムへの車両配置関係情報の引き渡しでも良い。車両配置関係情報出力部１４は、第一車両配置情報送信部１５に車両配置関係情報を引き渡すだけの動作の場合もあり得る。車両配置関係情報出力部１４は、ディスプレイやスピーカー等の出力デバイスを含むと考えても含まないと考えても良い。車両配置関係情報出力部１４は、例えば、出力デバイスのドライバーソフトまたは、出力デバイスのドライバーソフトと出力デバイス等で実現され得る。
【００４２】
第一車両配置情報送信部１５は、車両配置関係情報出力部１４が出力した車両配置関係情報を受け付け、当該車両配置関係情報を用いて、第一車両配置情報を送信する。第一車両配置情報送信部１５は、通常、第一車両配置情報をパケット化し、かつ、変調して送信する。第一車両配置情報送信部１５は、第一車両配置情報を、他車両に送信する。第一車両配置情報送信部１５は、例えば、マルチキャリアおよびマルチコードからなるチャネルを用いて、第一車両配置情報を有するパケットの送信を行う。第一車両配置情報送信部１５は、通常、無線通信手段で実現されるが、放送手段で実現されても良い。
【００４３】
チャネル割当手段１５１は、車両配置関係情報取得部１３が取得した車両配置関係情報を用いて、チャネル割り当てを行う。チャネル割当手段１５１は、例えば、以下のようにチャネル割り当てを行う。図３は、周波数チャネルの基本割当について示した図である。基本割当状態（図３）では、真北を基準に±４５度範囲の割り当て周波数は「ｆ４」、真東を基準に±４５度範囲の割り当て周波数は「ｆ１」、真南を基準に±４５度範囲の割り当て周波数は「ｆ２」、真南を基準に±４５度範囲の割り当て周波数は「ｆ３」と決められている、とする。そして、基本割当ルールとして、ｆ２はｆ４の対向車線用、ｆ３はｆ１の対向車線用とする。
【００４４】
そして、以下に、東西南北に整備されていない道路において、チャネル割当手段１５１が周波数チャネルを割り当てるアルゴリズムについて説明する。図４に示す様に、道路が真北を基準に角度θの傾きがあった場合、チャネル割当手段１５１は、例えば、４つの周波数に分けて、周波数チャネルを選択する。しかしながら、交差道路は必ずしも、９０度で交差している分けではなく、鋭角で交差する道路も存在する。その場合、基本割当状態では、走行している道路は異なるが、同一の周波数を割当てしまうことになる。これを避ける方法を、図５および図６を用いて説明する。ここで、真北を中心に±４５度範囲に２つの車両が同一の周波数ｆ４を使用している場合を例に示す。チャネル割当手段１５１は、自律的に制御する際の優先順位を「（１）＞（２）＞（３）」とする、とする。ここで、（１）、（２）、（３）は、図５に示す様に、真北を０度とすると、（１）（０度〜１５度）範囲と（３４５度〜３６０度（０度））範囲、（２）（３１５度〜３４５度）範囲、（３）（１５度〜４５度）範囲である。
【００４５】
図５は、車両１の進行方向は（２）の範囲、車両２の進行方向は（１）の場合の例を示したものである。この場合、（１）に存在する車両２の優先順位が高いので、チャネル割当手段１５１は、車両１の使用チャネルをｆ４から、ｆ３へ変更する。
【００４６】
図６は、車両１の進行方向は（２）、車両２の進行方向は（３）の場合の例を示している。この場合、優先順位条件から、車両２の方の優先順位が低いことから、チャネル割当手段１５１は、車両２の使用チャネルをｆ４からｆ１へ変更する。なお、かかるチャネル割当手段１５１の周波数の決定方法、および周波数は、一例であり、これらに制限されるものではないことは言うまでもない。
【００４７】
送信手段１５２は、チャネル割当手段１５１が決定した周波数で、第一車両配置情報（パケット）を他車両に送信する。送信手段１５２は、例えば、ＭＭ−ＳＡ方式により、第一車両配置情報を受信する。送信手段１５２は、通常、無線通信手段で実現されるが、放送手段で実現されても良い。
【００４８】
次に、無線通信装置１の動作について図７のフローチャートを用いて説明する。
【００４９】
（ステップＳ７０１）第二車両配置情報受信部１２は、他車両から、第二車両配置情報を受信したか否かを判断する。第二車両配置情報を受信すればステップＳ７０２に行き、第二車両配置情報を受信しなければステップＳ７０８に行く。
【００５０】
（ステップＳ７０２）車両配置関係情報取得部１３は、ステップＳ７０１で受信された第二車両配置情報を用いて、周辺車両情報格納手段１３０に格納されている第二車両配置情報であり、受信された第二車両配置情報に対応する第二車両配置情報を更新する。
【００５１】
（ステップＳ７０３）車両配置関係情報取得部１３は、周辺車両情報格納手段１３０に格納されている第一車両配置情報を読み出す。
【００５２】
（ステップＳ７０４）車両配置関係情報取得部１３は、ステップＳ７０３で読み出した第一車両配置情報、およびステップＳ７０１で受信された第二車両配置情報を用いて、位置関係特定処理を行う。位置関係特定処理とは、一の車両と他車両との位置関係を特定する処理である。位置関係特定処理について、図８のフローチャートを用いて説明する。
【００５３】
（ステップＳ７０５）車両配置関係情報取得部１３は、車両配置関係情報取得処理を行う。車両配置関係情報取得処理について、図１２のフローチャートを用いて説明する。
【００５４】
（ステップＳ７０６）車両配置関係情報取得部１３は、ステップＳ７０５で取得した車両配置関係情報等を、周辺車両情報格納手段１３０に蓄積する。
【００５５】
（ステップＳ７０７）車両配置関係情報出力部１４は、ステップＳ７０５で取得した車両配置関係情報を出力する。
【００５６】
（ステップＳ７０８）第一車両配置情報送信部１５は、第一車両配置情報を送信するタイミングであるか否かを判断する。第一車両配置情報を送信するタイミングであればステップＳ７０９に行き、第一車両配置情報を送信するタイミングでなければステップＳ７０１に戻る。第一車両配置情報送信部１５は、定期的に第一車両配置情報を送信しても良いし、何らかのイベントをトリガーにして、第一車両配置情報を送信しても良い。何らかのイベントとは、例えば、ユーザがウィンカー（右または左）の上げた（指示した）こと、ブレーキを踏んだこと等の自動車の操作（特に、他車両に影響する可能性のある特定の操作）であることは好適である。
【００５７】
（ステップＳ７０９）第一車両配置情報送信部１５は、周辺車両情報格納手段１３０から、第一車両配置情報を取得する。
【００５８】
（ステップＳ７１０）第一車両配置情報送信部１５は、第一車両配置情報を含む自車両情報を構成し、蓄積する。
【００５９】
（ステップＳ７１１）車両配置関係情報出力部１４は、車両配置関係情報、第一車両配置情報等を、チャネル割当手段１５１に渡す。そして、チャネル割当手段１５１は、車両配置関係情報等を用いて、チャネル割当処理を行う。チャネル割当処理の例については、既に説明したので、その詳細な説明は省略する。
【００６０】
（ステップＳ７１２）送信手段１５２は、ステップＳ７１４で割り当てられた周波数チャネルを用いて、第一車両配置情報を他車両に送信する。ステップＳ７０１に戻る。
【００６１】
なお、図７のフローチャートにおいて、電源オフや処理終了の割り込みにより処理は終了する。
【００６２】
次に、ステップＳ７０４の位置関係特定処理について、図８のフローチャートを用いて説明する。
【００６３】
まず、他車両存在エリア特定手段１３１は、第一車両配置情報から、一の車両（ここでは、自車両とも言う）の位置を示す位置情報（ｘ１，ｙ１）を取得する。また、他車両存在エリア特定手段１３１は、第二車両配置情報から、他車両の位置を示す位置情報（ｘ２，ｙ２）を取得する。そして、他車両存在エリア特定手段１３１は、自車両と他車両の位置の差を算出する。自車両と他車両の位置の差は、「Ｘ＝ｘ２−ｘ１」および「Ｙ＝ｙ２−ｙ１」により、算出できる（ステップＳ８０１）。なお、他車両存在エリア特定手段１３１は、上記算出式に関する情報をあらかじめ保持している、とする。
【００６４】
次に、他車両存在エリア特定手段１３１は、ステップＳ８０１で算出したＸ，およびＹの符号から、図９（ａ）に従って、他車両の存在エリアの領域の角度（ｄｅｇｒｅｅ）を判断する。そして、角度に応じて、他車両の存在エリアが、図９（ｂ）の（１）から（４）のいずれの領域であるかを判断する。つまり、例えば、まず、他車両存在エリア特定手段１３１は、「Ｘ・Ｙ（ＸとＹの積）」が正であるか、負であるかを判断する（ステップＳ８０２）。そして、正であれば（他車両の領域が（１）または（３）であれば）、ステップＳ８０３に行き、負であれば（他車両の領域が（２）または（４）であれば）、ステップＳ８１４に行く。なお、角度について、原点（自車両の位置）から北方向（上方向）が０度である、とする。
【００６５】
そして、次に、他車両存在エリア特定手段１３１は、「Ｘ＞＝０かつＹ＞＝０」であれば他車両の領域が（１）、「Ｘ＜０かつＹ＜０」であれば他車両の領域が（３）であると判断する（ステップＳ８０３，Ｓ８０４，Ｓ８０５）。また、他車両存在エリア特定手段１３１は、「Ｘ＞＝０かつＹ＜０」であれば他車両の領域が（２）、「Ｘ＜０かつＹ＞＝０」であれば他車両の領域が（４）であると判断する（ステップＳ８１４，Ｓ８１５，Ｓ８１６）。なお、領域（１）は数値「０」、領域（２）は数値「１」、領域（３）は数値「２」、領域（４）は数値「３」に対応する。そして、他車両存在エリア特定手段１３１は、図８のステップＳ８０４、Ｓ８０５、Ｓ８１５、Ｓ８１６において、変数Ａ１に、領域を識別する数値を代入している。ここまでで、他車両存在エリア特定手段１３１は、他車両が、９０度単位のどのエリアに存在するかを絞り込んだことになる。なお、他車両存在エリア特定手段１３１が、ここまでで処理を終了した場合、他車両の存在エリアを４つのうちのいずれかであるかを決定できることとなる。
【００６６】
以下、さらに、他車両存在エリア特定手段１３１が、他車両の存在エリアを２４通りのうちのいずれであるかを決定するための処理の例について説明する。
【００６７】
他車両存在エリア特定手段１３１は、９０度（上記の（１）から（４）のいずれかのエリア）を１５度単位で区切り、さらに６エリアに分割して、他車両の存在エリアを特定する。今、他車両が０度から９０度の範囲に存在する場合について、述べる（図８参照）。図１０に、そのアルゴリズム（考え方）を記載している。他車両存在エリア特定手段１３１は、「Ｚ＝Ｙ／Ｘ」を算出し（ＸとＹとの比（Ｚ）を算出し）、当該Ｚの値（図１０のＶａｌｕｅ）に応じて、図１０に従って、他車両の存在エリアを取得する。つまり、図８のフローチャートのＳ８０６，Ｓ８１７の分岐により、変数Ａ２にエリアを識別するエリア識別子「１」から「６」のいずれかが代入される。そして、他車両存在エリア特定手段１３１は、変数Ａ１およびＡ２を用いて、２４の領域のいずれかを示すエリア識別子を取得する。ここでは、他車両存在エリア特定手段１３１は、式「Ａｒｅａ＝６Ａ１＋Ａ２」に、Ａ１，Ａ２を代入することにより、エリア識別子（Ａｒｅａ）を取得する。なお、かかる処理により、他車両存在エリア特定手段１３１は、図１１に示すように、他車両の存在エリアを、２４エリアのいずれかのエリアに決定する。
【００６８】
なお、図８のフローチャートにおいて、存在エリアを１５度単位に分割しているが、１０度単位でエリア分割しても良い。また、図８のフローチャートにおいて、まず、９０度単位にエリア分割し、その９０度の中で、１５度単位に分割し、最終的に２４エリア（３６０度）中のどのエリアかを判別している。よって、上記の例では、９０度分割、１５度分割の２段階で判別しているが、エリア数をもっと多くして、１つのエリア角度を小さくしたい場合には、３段階で判別しても良い。よって、この例で示している数値は例示であることは言うまでもない。本例において、例えば、ハードウェア上での演算を考え、第一のステップで９０度単位に分割し、第二のステップで１５度単位に絞り込んでいるが、ハードウェア実装設計で、ステップ数を増やしても良いし、減らしても良いことは言うまでもない。
【００６９】
次に、ステップＳ７０５の車両配置関係情報取得処理について、図１２のフローチャートを用いて説明する。
【００７０】
図８の位置関係特定処理によって、他車両が存在するエリアを特定した後、他車両存在方向特定手段１３２は、自車両と他車両との進行方向が同一方向か、あるいは逆方向か、あるいはその他かを判別する（ステップＳ１２０１）。ここで、他車両存在方向特定手段１３２は、自車両の第一車両配置情報が有する進行方向情報が示す進行方向と他車両から受信した第二車両配置情報（パケット）中に含まれている進行方向情報が示す進行方向を比較して、±１５度範囲であれば、同一方向とする。また、両進行方向が１８０度±１５度範囲であれば、他車両存在方向特定手段１３２は、逆方向と判別する。他車両存在方向特定手段１３２は、「同一方向」、「逆方向」以外は、「その他」と判断する。そして、「同一方向」である場合はステップＳ１２０２に行き、「逆方向」である場合はステップＳ１２０７に行き、「その他」である場合はステップＳ１２１１に行く。
【００７１】
次に、他車両存在方向特定手段１３２は、自車両の第一車両配置情報が有する位置情報と、他車両から受信した第二車両配置情報中に含まれている位置情報とを比較し、他車両が「前」に存在するか、「右」に存在するか、「左」に存在するか、「後」に存在するかを判断する（ステップＳ１２０２）。
【００７２】
そして、例えば、他車両存在方向特定手段１３２は、同一方向を走行している他車両に対しては、自車両の進行方向（１５度角度エリア）に左右１エリアずつを含めたエリア（図１３の１、２、３のエリア）に他車両が存在していれば、位置関係が「前」であり、当該他車両を前方車両と判定する（ステップＳ１２０３）。また、他車両存在方向特定手段１３２は、自車両の進行方向に１８０度を加えたエリアに更に左右１エリアずつを含めたエリア（図１３の１３、１４、１５）に存在し、進行方向が１、２、３のエリアであれば、位置関係が「後」であり、当該他車両を後方車両と判定する（ステップＳ１２０６）。また、他車両存在方向特定手段１３２は、前方、後方にも属さないエリアは、右方向エリアと左方向エリアに分割し、他車両が同一進行方向かつ右方向であれば右側並走車両（ステップＳ１２０４）、他車両が同一進行方向かつ左方向に存在するのであれば左側並走車両と判定する（ステップＳ１２０５）。
【００７３】
次に、他車両存在方向特定手段１３２は、逆方向を走行している他車両（対向車両）に対しては、同様に位置関係を取得し、位置関係が「前」であれば、当該他車両を接近対向車両と判定する（ステップＳ１２０８）。また、位置関係が「後」であれば、他車両存在方向特定手段１３２は、当該他車両を通過対向車両と判定する（ステップＳ１２１０）。
【００７４】
さらに、他車両存在方向特定手段１３２は、他車両が対向車両であり、位置関係が「前」でも「後」ででも無い場合は、左右判定は行わずに、他車両を隣接対向車両（ステップＳ１２０９）と判定する。
【００７５】
なお、かかる他車両存在方向特定手段１３２の判断方法は一例であることは言うまでもない。従って、他車両存在方向特定手段１３２は、図１３において、１５度ずつ、エリアを分割したが、例えば、２０度ずつでも良い。なお、他車両存在方向特定手段１３２は、他車両存在エリア特定手段１３１が取得したエリア識別子を用いて、他車両が「前」に存在するか、「右」に存在するか、「左」に存在するか、「後」に存在するかを判断することは好適である。
【００７６】
次に、ステップＳ７１５のチャネル割当処理について説明する。チャネル割当手段１５１は、例えば、以下のように、一の車両に割り当てる周波数チャネルを決定する。一の車両に割り当てる周波数チャネルとは、送信手段１５２が第一車両配置情報（パケット）を他車両に送信する周波数チャネルである。
【００７７】
通常、チャネル割当手段１５１は、一の車両が走行している車線に対して、割り当てられている周波数チャネルを取得する。そして、チャネル割当手段１５１は、取得した周波数チャネルが、他と重複しないか否かを判断し、重複しなければ、そのまま、取得した周波数チャネルを、利用する周波数チャネルとして決定する。例えば、今、図１４に車車間通信アプリケーションの１つである出会い頭衝突防止の車両配置例を示す。車両１が受信車両（一の車両）であり、車両２が所望の送信車両（他車両）である。図１４に示す様に、周波数チャネル制御を行なうと、出会い頭事故防止で対象とすべき車線は車線２で周波数チャネルｆ２となる。そこで、チャネル割当手段１５１は、受信車両（一の車両）に割当てられた周波数チャネルｆ４を、利用する周波数チャネルとして決定する。そして、送信手段１５２は、周波数チャネルｆ４で、第一車両配置情報を、ＭＭ−ＳＡ方式で他車両に送信する。なお、図１４において、受信車両（一の車両）は、受信側サービスエリアに存在する場合に、送信側サービスエリアに存在する送信車両（他車両）からの第二車両配置情報を受信する。かかることは、他の図面を用いた説明でも同様である。
【００７８】
次に、図１５に車車間通信アプリケーションの別のアプリケーションである右折事故の車両配置例を示す。車両１が受信車両（一の車両）であり、車両２が所望の送信車両（他車両）である。図１５の右折事故防止例の場合、受信車両に割当てられた周波数チャネルはｆ１に対し、右折事故防止アプリケーションの送信車両対象車線に割当てられたチャネルはｆ２である。そして、チャネル割当手段１５１は、受信車両（一の車両）に割当てられた周波数チャネルｆ１を取得する。そして、送信手段１５２は、周波数チャネルｆ１で、第一車両配置情報を、ＭＭ−ＳＡ方式で他車両に送信する。
【００７９】
また、チャネル割当手段１５１は、上述したように、割り当てられた周波数チャネルが、他車両が利用する周波数チャネルと重複する場合、例えば、以下のようにチャネル割り当てを行う。図３は、周波数チャネルの基本割当について示した図である。基本割当状態（図３）では、真北を基準に±４５度範囲の割り当て周波数は「ｆ４」、真東を基準に±４５度範囲の割り当て周波数は「ｆ１」、真南を中心に±４５度範囲の割り当て周波数は「ｆ２」、真南を中心に±４５度範囲の割り当て周波数は「ｆ３」と決められている、とする。そして、基本割当ルールとして、ｆ２はｆ４の対向車線用、ｆ３はｆ１の対向車線用とする。
【００８０】
そして、以下に、東西南北に整備されていない道路において、チャネル割当手段１５１が周波数チャネルを割り当てるアルゴリズムについて説明する。図４に示す様に、道路が真北を基準に角度θの傾きがあった場合、チャネル割当手段１５１は、例えば、４つの周波数に分けて、周波数チャネルを選択する。しかしながら、交差道路は必ずしも、９０度で交差している分けではなく、鋭角で交差する道路も存在する。その場合、基本割当状態では、走行している道路は異なるが、同一の周波数を割当てしまうことになる。これを避ける方法を、図５および図６を用いて説明する。真北を基準に±４５度範囲に２つの車両が同一の周波数ｆ４を使用している場合を例に示す。チャネル割当手段１５１は、自律的に制御する際の優先順位を「（１）＞（２）＞（３）」とする、とする。
【００８１】
図５は、車両１の進行方向は（２）の範囲、車両２の進行方向は（１）の場合の例を示したものである。この場合、（１）に存在する車両２の優先順位が高いので、チャネル割当手段１５１は、車両１の使用チャネルをｆ４から、ｆ３へ変更する。図６は、車両１の進行方向は（２）、車両２の進行方向は（３）の場合の例を示している。この場合、優先順位条件から、車両２の方の優先順位が低いことから、チャネル割当手段１５１は、車両２の使用チャネルをｆ４からｆ１へ変更する。
【００８２】
以下、本実施の形態における無線通信装置１の具体的な２つの動作について説明する。
（具体例１）
【００８３】
図１６を用いて、一の車両（車両４）が車線変更を行う場合の例について説明する。このとき、右方向であっても、最も視認の困難な右斜め後方への対応が重要となり、その対応支援のためにより細かい車両位置関係の特定が必要である。
【００８４】
まず、第二車両配置情報受信部１２は、他車両（車両２）から、他車両の位置情報（ｘ２，ｙ２）と進行方向情報（Ｘ２）とを含む第二車両配置情報を受信する。ここで、第二車両配置情報は、車両識別子（車両ＩＤ）、位置情報、シーケンス番号、進行方向情報を有する。また、車両２（車両ＩＤ＝ＩＤ２）の位置情報は、位置（ｘ２，ｙ２）、方位（Ｄ２）、速度（Ｖ２）を含む。方位とは、車両２が向いている方角を示す情報である。速度とは、車両２の走行速度を示す情報である。また、シーケンス番号とは、第二車両配置情報を有するパケットが生成される場合に割り当てられる生成順を示す続き番号である。なお、通常、シーケンス番号が大きい値であるほど、パケットが新しいものである。また、進行方向情報は、例えば、真北を基準（０度）として、何度方向に向いているかを示す情報であり、通常、単位は度（分などの、さらに細かい単位を含んでも良い）である。
【００８５】
そして、車両配置関係情報取得部１３は、第二車両配置情報受信部１２が受信した第二車両配置情報を用いて、他車両情報を構成する。つまり、車両配置関係情報取得部１３は、車両配置関係情報取得部１３は、第二車両配置情報に、当該第二車両配置情報が受信された時刻（Ｔ２）、自車両と他車両の相対距離（Ｒ２）、周波数チャネル（ｆ１）、拡散符号（Ｃ２）を加え、他車両情報を構成する。そして、車両配置関係情報取得部１３は、車両ＩＤ「ＩＤ２」に対応する他車両情報を更新する。更新対象の車両配置関係情報は、周辺車両情報格納手段１３０に格納されている。なお、時刻（Ｔ２）は、例えば、車両配置関係情報取得部１３が保持している図示しない時計から取得された情報である。相対距離（Ｒ２）は、自車両の位置情報（経度，緯度）および他車両の位置情報（経度，緯度）を用いて算出された情報である。相対距離の算出方法は公知技術である。周波数チャネル（ｆ１）は、第二車両配置情報を受信した周波数ＣＨである。拡散符号（Ｃ２）は、物理層において受信したパケットを逆拡散するために用いた拡散符号を、物理層より上の層に通知することにより取得され得る。
【００８６】
つまり、周辺車両情報格納手段１３０は、図１７の周辺車両情報管理表を保持している。周辺車両情報管理表は、自車両情報（「車両ＩＤ＝ＩＤ４」の情報）、および他車両情報（「車両ＩＤ＝ＩＤ１，ＩＤ２，ＩＤ３」の情報）を管理している。自車両情報、および他車両情報は、「車両ＩＤ」「時刻」「位置情報」「シーケンス番号」「方向」「相対距離」「周波数ＣＨ」「拡散符号ＣＨ」を有する。なお、図１７において、車両ＩＤ「ＩＤ２」のレコードは、上述した処理により更新されたレコードである。
【００８７】
次に、第一車両配置情報取得部１１は、図１７の周辺車両情報管理表から、自車両（ＩＤ４）に対応する第一車両配置情報を読み出す。
【００８８】
次に、車両配置関係情報取得部１３は、「車両ＩＤ＝ＩＤ２」に対応する第二車両配置情報を、図１７の周辺車両情報管理表から、読み出す。
【００８９】
そして、車両配置関係情報取得部１３は、第一車両配置情報、および第二車両配置情報を用いて、以下のように、位置関係特定処理を行う。
【００９０】
まず、他車両存在エリア特定手段１３１は、第一車両配置情報から、一の車両（ここでは、自車両とも言う）の位置を示す位置情報（ｘ４，ｙ４）を取得する。また、他車両存在エリア特定手段１３１は、第二車両配置情報から、他車両の位置を示す位置情報（ｘ２，ｙ２）を取得する。
【００９１】
そして、他車両存在エリア特定手段１３１は、自車両と他車両の位置の差「Ｘ＝ｘ２−ｘ４」「Ｙ＝ｙ２−ｙ４」を算出する。
【００９２】
次に、他車両存在エリア特定手段１３１は、算出したＸ，およびＹの符号から、図９（ａ）に従って、他車両の存在エリアの領域の角度（ｄｅｇｒｅｅ）を判断する。ここで、他車両存在エリア特定手段１３１は、他車両（車両４）の領域を（２）「９０〜１８０度」であると判断した、とする。
【００９３】
次に、他車両存在方向特定手段１３２は、自車両の第一車両配置情報が有する進行方向情報（Ｘ４）が示す進行方向と他車両から受信した第二車両配置情報（パケット）中に含まれている進行方向情報（Ｘ２）が示す進行方向を比較して、±１５度範囲であるので、自車両と他車両の進行方向は同一方向と、判断する。
【００９４】
次に、他車両存在方向特定手段１３２は、自車両の第一車両配置情報が有する位置情報（ｘ４，ｙ４）と、他車両から受信した第二車両配置情報中に含まれている位置情報（ｘ２，ｙ２）とを比較する。そして、右斜め前方、右方向、右斜め後方のいずれかのうち、他車両存在方向特定手段１３２は、他車両（車両４）の領域を「右斜め後方」と判断した、とする。この判断方法は、上述した判断方法の数値（角度）を変更すれば可能であるので、詳細な説明を省略する（図１６参照）。そして、他車両存在方向特定手段１３２は、両車両の進行方向が同一方向であり、かつ、他車両の存在エリアが、第一車両配置情報が有する位置情報が示す位置の右斜め前方のエリアであるので、当該他車両が前記一の車両に対して右斜め前方の先行する車両であることを示す右斜め前方車両であることを示す車両配置関係情報を取得する。なお、他車両の存在エリアが右斜め前方エリアであることを取得する処理は、他車両存在エリア特定手段１３１が行っても良い。
【００９５】
次に、車両配置関係情報出力部１４は、取得された車両配置関係情報「右斜め前方車両」を出力する。ここでの出力は、例えば、自車両の運転者への注意喚起（右斜め後方に他車両が存在する旨の表示、右斜め後方に他車両が存在することを知らせる音（ブザー音など）の出力など）を行っても良い。
【００９６】
次に、チャネル割当手段１５１は、例えば、車線２に割り当てられた周波数ｆ３を取得する。そして、周波数ｆ３は、他車両の送信周波数ｆ１とは異なるので、送信手段１５２は、周波数チャネルｆ３を用いて、第一車両配置情報を他車両に送信する。
【００９７】
次に、自車両の運転者は、右にウィンカーを出して、車線変更しようとする、とする。すると、「右斜め後方」の存在する車両ＩＤ「ＩＤ２」の車両を検知されているので、車両配置関係情報出力部１４は、自車両の運転者への注意喚起（右斜め後方に他車両が存在する旨の表示、右斜め後方に他車両が存在することを知らせる音（ブザー音など）の出力など）を行う。
【００９８】
以上の処理により、車線変更時の事故防止を図ることができる。また、本具体例において、右方向エリアを３エリア「右斜め前方エリア」、「右方向エリア」、「右斜め後方エリア」にさらに詳細に分割し、左方向エリアを３エリア「左斜め前方エリア」、「左方向エリア」、「左斜め後方エリア」に分割した。かかる処理により、より細かい制御が可能となった。
（具体例２）
【００９９】
図１８を用いて、二輪車の左折巻き込み防止のアプリケーションの例を示したものである。かかる場合には、後続車両という情報だけでなく、横方向走行（並走）という情報も必要になってくる。
【０１００】
まず、第二車両配置情報受信部１２は、他車両（二輪車［車両ＩＤ＝ＩＤ３］）から、他車両の位置情報（ｘ３，ｙ３）と進行方向情報（Ｘ３）とを含む第二車両配置情報を受信する、とする。ここで、第二車両配置情報は、車両識別子（車両ＩＤ）、位置情報、シーケンス番号、進行方向情報を有する。また、車両３（車両ＩＤ＝ＩＤ３）の位置情報は、位置（ｘ３，ｙ３）、方位（Ｄ３）、速度（Ｖ３）を含む。
【０１０１】
そして、車両配置関係情報取得部１３は、第二車両配置情報受信部１２が受信した第二車両配置情報を用いて、他車両情報を構成する。つまり、車両配置関係情報取得部１３は、第二車両配置情報に、当該第二車両配置情報が受信された時刻（Ｔ３）、自車両と他車両の相対距離（Ｒ３）、周波数チャネル（ｆ３）、拡散符号（Ｃ３）を加え、他車両情報を構成する。そして、車両配置関係情報取得部１３は、図１７の周辺車両情報管理表の他車両情報であり、車両ＩＤ「ＩＤ３」に対応する他車両情報を更新する。更新対象の車両配置関係情報は、周辺車両情報格納手段１３０に格納されている。なお、時刻（Ｔ３）は、例えば、車両配置関係情報取得部１３が保持している図示しない時計から取得された情報である。
【０１０２】
次に、第一車両配置情報取得部１１は、図１７の周辺車両情報管理表から、自車両（ＩＤ４）に対応する第一車両配置情報を読み出す。
【０１０３】
次に、車両配置関係情報取得部１３は、「車両ＩＤ＝ＩＤ３」に対応する第二車両配置情報を、図１７の周辺車両情報管理表から、読み出す。
【０１０４】
そして、車両配置関係情報取得部１３は、第一車両配置情報、および第二車両配置情報を用いて、以下のように、位置関係特定処理を行う。
【０１０５】
まず、他車両存在エリア特定手段１３１は、第一車両配置情報から、一の車両（ここでは、自車両とも言う）の位置を示す位置情報（ｘ３，ｙ３）を取得する。また、他車両存在エリア特定手段１３１は、第二車両配置情報から、他車両の位置を示す位置情報（ｘ２，ｙ２）を取得する。
【０１０６】
そして、他車両存在エリア特定手段１３１は、自車両と他車両の位置の差「Ｘ＝ｘ４−ｘ３」「Ｙ＝ｙ４−ｙ３」を算出する。
【０１０７】
次に、他車両存在エリア特定手段１３１は、算出したＸ，およびＹの符号から、図９（ａ）に従って、他車両の存在エリアの領域の角度（ｄｅｇｒｅｅ）を判断する。ここで、他車両存在エリア特定手段１３１は、他車両（車両３）の領域を（４）「２７０〜３６０度」であると判断した、とする。
【０１０８】
次に、他車両存在方向特定手段１３２は、自車両の第一車両配置情報が有する進行方向情報（Ｘ４）が示す進行方向と他車両から受信した第二車両配置情報（パケット）中に含まれている進行方向情報（Ｘ３）が示す進行方向を比較して、±１５度範囲であるので、同一方向と、判断する。
【０１０９】
次に、他車両存在方向特定手段１３２は、自車両の第一車両配置情報が有する位置情報（ｘ４，ｙ４）と、他車両から受信した第二車両配置情報中に含まれている位置情報（ｘ３，ｙ３）とを比較する。そして、左斜め前方、左方向、左斜め後方のいずれかのうち、他車両存在方向特定手段１３２は、他車両（車両４）の領域を「左斜め後方」と判断した、とする。この判断方法は、上述した判断方法の数値（角度）を変更すれば可能であるので、詳細な説明を省略する（図１８参照）。そして、他車両存在方向特定手段１３２は、両車両の進行方向が同一方向であり、かつ、他車両の存在エリアが、第一車両配置情報が有する位置情報が示す位置の左斜め後方のエリアであるので、当該他車両が前記一の車両に対して左斜め後方の車両であることを示す左側並走車両（特に、後方）であることを示す車両配置関係情報を取得する。なお、他車両の存在エリアが左斜め後方エリアであることを取得する処理は、他車両存在エリア特定手段１３１が行っても良い。
【０１１０】
次に、車両配置関係情報出力部１４は、取得した車両配置関係情報「左側並走車両（特に、後方）」を出力する。ここでの出力は、例えば、自車両の運転者への注意喚起（左側の後方に並走する他車両が存在する旨の表示、左側の後方に並走する他車両が存在することを知らせる音（ブザー音など）の出力など）を行っても良い。
【０１１１】
次に、チャネル割当手段１５１は、例えば、車線２に割り当てられた周波数ｆ３を取得する。そして、周波数ｆ３は、他車両の送信周波数ｆ１とは異なるので、送信手段１５２は、周波数チャネルｆ３を用いて、第一車両配置情報を他車両に送信する。
【０１１２】
次に、自車両の運転者は、左にウィンカーを出して、左折しようとする、とする。すると、「左斜め後方」の存在する車両ＩＤ「ＩＤ３」の車両を検知されているので、車両配置関係情報出力部１４は、自車両の運転者への注意喚起（左斜め後方に他車両が存在する旨の表示、左斜め後方に他車両が存在することを知らせる音（ブザー音など）の出力など）を行う。
【０１１３】
以上の処理により、二輪車等の左折巻き込みの防止を図ることができる。また、本具体例において、右方向エリアを３エリア「右斜め前方エリア」、「右方向エリア」、「右斜め後方エリア」にさらに詳細に分割し、左方向エリアを３エリア「左斜め前方エリア」、「左方向エリア」、「左斜め後方エリア」に分割した。かかる処理により、より細かい制御が可能となった。
【０１１４】
以上、本実施の形態によれば、一の車両に対応する他車両の位置を、適切に取得できる。その結果、右折事故、出会い頭事故、歩行者事故、正面衝突事故、追突事故、左折事故、車線変更に伴う衝突事故などの防止を適切に図ることができる。
【０１１５】
なお、本実施の形態によれば、無線通信装置は、通常、一の車両に設置されているが、いわゆるサーバ装置に設置されていても良い。かかる場合、１以上の車両から送信された車両配置情報を収集し、各車両に送信するサーバ装置が存在する。
【０１１６】
また、本実施の形態において説明した他車両の位置を取得した結果の情報である車両配置関係情報の利用方法は問わない。つまり、他車両の位置を単に、一の車両のディスプレイに出力するだけでも良いし、注意喚起のために音（ブザー音など）を出力しても良いし、各種の事故防止のために自動車を自動制御するなどしても良い。かかる場合の車両配置関係情報の取得方法は以下のような方法である。つまり、第一車両配置情報取得部、第二車両配置情報受信部、および車両配置関係情報取得部により実現される車両配置関係情報の取得方法であって、前記第一車両配置情報取得部により、一の車両の位置を示す位置情報と進行方向を示す進行方向情報とを含む第一車両配置情報を取得する第一車両配置情報取得ステップと、前記第二車両配置情報受信部により、前記一の車両とは異なる他車両に設置された他の無線通信装置から、前記他車両の位置を示す位置情報と進行方向を示す進行方向情報とを含む第二車両配置情報を受信する第二車両配置情報受信ステップと、前記車両配置関係情報取得部により、前記第一車両配置情報と前記第二車両配置情報とを用いて、前記他車両の前記一の車両に対する相対的な位置関係を含む情報である車両配置関係情報を取得する車両配置関係情報取得ステップとを具備する車両配置関係情報の取得方法である。
【０１１７】
上記方法において、車両配置関係情報取得ステップは、前記第一車両配置情報が有する一の車両の位置情報が示す位置を原点とし、全方位を、予め決められた角度を有する２以上のエリアに分割し、前記第一車両配置情報が有する位置情報と前記第二車両配置情報が有する位置情報に基づいて、他車両が存在するエリアである存在エリアを特定し、当該存在エリアを識別するエリア識別子を有する車両配置関係情報を取得する他車両存在エリア特定サブステップを具備することは好適である。
【０１１８】
上記方法において、車両配置関係情報取得ステップは、前記第一車両配置情報が有する進行方向情報、前記第二車両配置情報が有する進行方向情報、および前記エリア識別子を用いて、前記一の車両と前記他車両との車両配置関係を示す車両配置関係情報を取得する他車両存在方向特定サブステップをさらに具備することは好適である。
【０１１９】
上記方法において、前記他車両存在方向特定サブステップは、前記第一車両配置情報が有する進行方向情報、前記第二車両配置情報が有する進行方向情報から、両車両の進行方向が同一方向であるか否かを判断し、前記両車両の進行方向が同一方向であり、かつ、前記他車両の存在エリアが、一の車両の進行方向に一致するエリアまたは、当該エリアに対して所定の角度の範囲にある１以上のエリアである周辺規定エリア群である前方エリアである場合に、当該他車両が前記一の車両に対して前方の先行する車両である前方車両であることを示す車両配置関係情報を取得し、前記両車両の進行方向が同一方向であり、かつ、前記他車両の存在エリアが、前記前方エリアに対して１８０度分ずらしたエリア群である後方エリアである場合に、当該他車両が前記一の車両に対して後方の後続する車両である後方車両であることを示す車両配置関係情報を取得し、前記両車両の進行方向が同一方向であり、かつ、前記他車両の存在エリアが、前記前方エリアでも無く、前記後方エリアでも無く、前記第一車両配置情報が有する位置情報が示す位置に対して右方向のエリアである右方向エリアである場合に、当該他車両が前記一の車両に対して右側を並走する車両である右側並走車両であることを示す車両配置関係情報を取得し、前記両車両の進行方向が同一方向であり、かつ、前記他車両の存在エリアが、前記前方エリアでも無く、前記後方エリアでも無く、前記第一車両配置情報が有する位置情報が示す位置に対して左方向のエリアである左方向エリアである場合に、当該他車両が前記一の車両に対して左側を並走する車両である左側並走車両であることを示す車両配置関係情報を取得することは好適である。
【０１２０】
上記方法において、他車両存在方向特定サブステップは、前記第一車両配置情報が有する進行方向情報、前記第二車両配置情報が有する進行方向情報から、両車両の進行方向が同一方向であるか、逆方向であるか、いずれでもないかを判断し、前記両車両の進行方向が逆方向であり、かつ、前記他車両の存在エリアが、一の車両の進行方向に一致するエリアまたは、当該エリアに対して所定の角度の範囲にある１以上のエリアである周辺規定エリア群である前方エリアである場合に、当該他車両が前記一の車両に対して接近している対向車両である接近対向車両であることを示す車両配置関係情報を取得し、前記両車両の進行方向が逆方向であり、かつ、前記他車両の存在エリアが、前記前方エリアに対して１８０度分ずらしたエリア群である後方エリアである場合に、当該他車両が前記一の車両に対して通過した対向車両である通過対向車両であることを示す車両配置関係情報を取得し、前記両車両の進行方向が逆方向であり、かつ、前記他車両の存在エリアが、前記前方エリアでも無く、前記後方エリアでも無い場合に、当該他車両が前記一の車両に対して隣接対応車両であることを示す車両配置関係情報を取得することは好適である。
【０１２１】
上記方法において、他車両存在方向特定サブステップは、前記第一車両配置情報が有する進行方向情報、前記第二車両配置情報が有する進行方向情報から、両車両の進行方向が同一方向であるか否かを判断し、前記両車両の進行方向が同一方向であり、かつ、前記他車両の存在エリアが、前記第一車両配置情報が有する位置情報が示す位置の右斜め前方のエリアである右斜め前方エリアである場合に、当該他車両が前記一の車両に対して右斜め前方の先行する車両である右斜め前方車両であることを示す車両配置関係情報を取得し、前記両車両の進行方向が同一方向であり、かつ、前記他車両の存在エリアが、前記第一車両配置情報が有する位置情報が示す位置の右斜め後方のエリアである右斜め後方エリアである場合に、当該他車両が前記一の車両に対して右斜め後方の後続する車両である右斜め後方車両であることを示す車両配置関係情報を取得し、前記両車両の進行方向が同一方向であり、かつ、前記他車両の存在エリアが、前記第一車両配置情報が有する位置情報が示す位置の左斜め前方のエリアである左斜め前方エリアであるに、当該他車両が前記一の車両に対して左斜め前方の先行する車両である左斜め前方車両であることを示す車両配置関係情報を取得し、前記両車両の進行方向が同一方向であり、かつ、前記他車両の存在エリアが、前記第一車両配置情報が有する位置情報が示す位置の左斜め後方のエリアである左斜め後方エリアである場合に、当該他車両が前記一の車両に対して左斜め後方の後続する車両である左斜め後方車両であることを示す車両配置関係情報を取得することは好適である。
【０１２２】
さらに、本実施の形態における処理は、ソフトウェアで実現しても良い。そして、このソフトウェアをソフトウェアダウンロード等により配布しても良い。また、このソフトウェアを光学ディスクなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、一の車両の位置を示す位置情報と進行方向を示す進行方向情報とを含む第一車両配置情報を取得する第一車両配置情報取得部と、前記一の車両とは異なる他車両に設置された他の無線通信装置から、前記他車両の位置を示す位置情報と進行方向を示す進行方向情報とを含む第二車両配置情報を受信する第二車両配置情報受信部と、前記第一車両配置情報と前記第二車両配置情報とを用いて、前記他車両の前記一の車両に対する相対的な位置関係を含む情報である車両配置関係情報を取得する車両配置関係情報取得部と、前記車両配置関係情報を出力する車両配置関係情報出力部として機能させるためのプログラム、である。
【０１２３】
上記プログラムにおいて、前記車両配置関係情報取得部は、前記第一車両配置情報が有する一の車両の位置情報が示す位置を原点とし、全方位を、予め決められた角度を有する２以上のエリアに分割し、前記第一車両配置情報が有する位置情報と前記第二車両配置情報が有する位置情報に基づいて、他車両が存在するエリアである存在エリアを特定し、当該存在エリアを識別するエリア識別子を有する車両配置関係情報を取得する他車両存在エリア特定手段を具備するものとして、コンピュータを機能させるためのプログラム、であることは好適である。
【０１２４】
また、上記プログラムにおいて、前記車両配置関係情報取得部は、前記第一車両配置情報が有する進行方向情報、前記第二車両配置情報が有する進行方向情報、および前記エリア識別子を用いて、前記一の車両と前記他車両との車両配置関係を示す車両配置関係情報を取得する他車両存在方向特定手段をさらに具備するものとして、コンピュータを機能させるためのプログラム、であることは好適である。
【０１２５】
また、図１９は、本明細書で述べたプログラムを実行して、上述した実施の形態の無線通信装置等を実現するコンピュータの外観を示す。上述の実施の形態は、コンピュータハードウェア及びその上で実行されるコンピュータプログラムで実現され得る。図１９は、このコンピュータシステム３４０の概観図であり、図２０は、コンピュータシステム３４０のブロック図である。
【０１２６】
図１９において、コンピュータシステム３４０は、磁気ディスクドライブ、光学ディスクドライブを含むコンピュータ３４１と、キーボード３４２と、マウス３４３と、モニタ３４４とを含む。
【０１２７】
図２０において、コンピュータ３４１は、磁気ディスクドライブ３４１１、光学ディスクドライブ３４１２に加えて、ＭＰＵ３４１３と、光学ディスクドライブ３４１２及び磁気ディスクドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１２８】
コンピュータシステム３４０に、上述した実施の形態の無線通信装置等の機能を実行させるプログラムは、光学ディスク３５０１、または磁気ディスク３５０２に記憶されて、光学ディスクドライブ３４１２または磁気ディスクドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、光学ディスク３５０１、磁気ディスク３５０２またはネットワークから直接、ロードされても良い。
【０１２９】
プログラムは、コンピュータ３４１に、上述した実施の形態の無線通信装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１３０】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１３１】
また、上記プログラムを実行するコンピュータは、単数であってもよく、複数であってもよい。すなわち、集中処理を行ってもよく、あるいは分散処理を行ってもよい。
【０１３２】
また、上記各実施の形態において、一の装置に存在する２以上の通信手段（第二車両配置情報受信部、第一車両配置情報送信部など）は、物理的に一の媒体で実現されても良いことは言うまでもない。
【０１３３】
また、上記各実施の形態において、各処理（各機能）は、単一の装置（システム）によって集中処理されることによって実現されてもよく、あるいは、複数の装置によって分散処理されることによって実現されてもよい。
【０１３４】
本発明は、以上の実施の形態に限定されることなく、種々の変更が可能であり、それらも本発明の範囲内に包含されるものであることは言うまでもない。
【産業上の利用可能性】
【０１３５】
以上のように、本発明にかかる無線通信装置は、一の車両に対応する他車両の位置を、適切に取得できる、という効果を有し、無線通信装置等として有用である。
【図面の簡単な説明】
【０１３６】
【図１】実施の形態１における無線ネットワークの概略図
【図２】同無線通信装置のブロック図
【図３】同周波数チャネルの基本割当について示した図
【図４】同周波数チャネルの割当処理について説明する図
【図５】同周波数チャネルの割当処理について説明する図
【図６】同周波数チャネルの割当処理について説明する図
【図７】同無線通信装置の動作について説明するフローチャート
【図８】同位置関係特定処理の動作について説明するフローチャート
【図９】同他車両の存在エリアを特定する処理について説明する図
【図１０】同他車両の存在エリアを特定する処理について説明する図
【図１１】同他車両の存在エリアを特定する処理について説明する図
【図１２】同車両配置関係情報取得処理の動作について説明するフローチャート
【図１３】同他車両の存在方向を特定する処理について説明する図
【図１４】同出会い頭衝突防止の車両配置例を示す図
【図１５】同右折事故の車両配置例を示す図
【図１６】同車線変更を行う場合の例について説明する図
【図１７】同周辺車両情報管理表を示す図
【図１８】同二輪車の左折巻き込み防止のアプリケーションの例を示す図
【図１９】同コンピュータシステムの概観図
【図２０】同コンピュータシステムのブロック図
【符号の説明】
【０１３７】
１  無線通信装置
１１  第一車両配置情報取得部
１２  第二車両配置情報受信部
１３  車両配置関係情報取得部
１４  車両配置関係情報出力部
１５  第一車両配置情報送信部
１３０  周辺車両情報格納手段
１３１  他車両存在エリア特定手段
１３２  他車両存在方向特定手段
１５１  チャネル割当手段
１５２  送信手段
【図２】
2010108457.tif 000003
【図５】
2010108457.tif 000004
【図６】
2010108457.tif 000005
【図７】
2010108457.tif 000006
【図８】
2010108457.tif 000007
【図９】
2010108457.tif 000008
【図１０】
2010108457.tif 000009
【図１２】
2010108457.tif 000010
【図１３】
2010108457.tif 000011
【図１７】
2010108457.tif 000012
【図１９】
2010108457.tif 000013
【図２０】
2010108457.tif 000014
【図１】
2010108457.tif 000015
【図３】
2010108457.tif 000016
【図４】
2010108457.tif 000017
【図１１】
2010108457.tif 000018
【図１４】
2010108457.tif 000019
【図１５】
2010108457.tif 000020
【図１６】
2010108457.tif 000021
【図１８】
2010108457.tif 000022